(57)【要約】【課題】基地局が制御情報に付加される誤り検出符号の生成に用いられる情報の種別によらず、所定の識別情報がマスキングされた誤り検出符号の生成を可能とし、制御情報を受信する端末装置の物理下り制御チャネルのカバレッジを強化する。【解決手段】無線通信システムにおいて、所定の識別情報がマスキングされた誤り検出符号が付加された制御情報を端末装置に送信する基地局が、前記誤り検出符号を生成するために前記所定の識別情報によりマスキングされる第１の情報の長さが前記所定の識別情報の長さに対応しない場合、前記所定の識別情報の長さに対応する第２の情報を生成する生成手段と、前記第２の情報が生成された場合、該第２の情報に前記所定の識別情報がマスキングされた誤り検出符号を生成する誤り検出符号生成手段とを有する。【選択図】図６
2015023509.tif 000002
【特許請求の範囲】
【請求項１】
無線通信システムにおいて、所定の識別情報がマスキングされた誤り検出符号が付加された制御情報を端末装置に送信する基地局であって、
前記誤り検出符号を生成するために前記所定の識別情報によりマスキングされる第１の情報の長さが前記所定の識別情報の長さに対応しない場合、前記所定の識別情報の長さに対応する第２の情報を生成する生成手段と、
前記第２の情報が生成された場合、該第２の情報に前記所定の識別情報がマスキングされた誤り検出符号を生成する誤り検出符号生成手段とを有する基地局。
【請求項２】
前記生成手段は、
前記所定の識別情報の長さになるまで前記第１の情報が繰り返された、前記第２の情報を生成する請求項１記載の基地局。
【請求項３】
前記生成手段は、
前記所定の識別情報の長さになるまで前記制御情報が繰り返された、前記第２の情報を生成する請求項１記載の基地局。
【請求項４】
前記制御情報が送信される前に、前記第１の情報の長さが前記所定の識別情報の長さより短いか否かを示す種別を、ハイヤレイヤシグナリングにより前記端末装置に通知する通知手段を有し、
前記誤り検出符号生成手段は、前記通知手段により通知された前記種別に応じて、前記第１の情報に前記所定の識別情報がマスキングされた誤り検出符号又は前記第２の情報に前記所定の識別情報がマスキングされた誤り検出符号を生成する請求項１乃至３のいずれか一項に記載の基地局。
【請求項５】
前記誤り検出符号生成手段は、所定の時間毎に、前記第１の情報に前記所定の識別情報がマスキングされた誤り検出符号と、前記第２の情報に前記所定の識別情報がマスキングされた誤り検出符号とを切り替えて生成する請求項１乃至３のいずれか一項に記載の基地局。
【請求項６】
前記所定の時間毎に、第１の情報の長さが前記所定の識別情報の長さより短いか否かを示す種別を、物理下りリンク制御チャネルにより前記端末装置に通知する通知手段を有する請求項５記載の基地局。
【請求項７】
前記第２の情報に前記所定の識別情報がマスキングされた誤り検出符号が付加された、繰り返された前記制御情報を、前記端末装置に送信する送信手段を有する請求項１乃至６記載の基地局。
【請求項８】
無線通信システムにおいて、基地局と通信する端末装置であって、
前記基地局からの誤り検出符号が付加された制御情報を受信する受信手段と、
前記制御情報を受信する前に、前記基地局が前記誤り検出符号を生成するために前記所定の識別情報によりマスキングされる第１の情報の長さが前記所定の識別情報の長さより短いか否かを示す種別が前記基地局から通知された場合、受信した前記制御情報に付加された前記誤り検出符号を用いて、前記種別に基づく誤り検出を行う誤り検出手段とを有する端末装置。
【請求項９】
前記誤り検出手段は、前記制御情報を受信する前に、前記種別が通知されなかった場合、前記種別のそれぞれに対応する誤り検出を行う請求項８記載の端末装置。
【請求項１０】
端末装置と、所定の識別情報がマスキングされた誤り検出符号が付加された制御情報を前記端末装置に送信する基地局とを有する無線通信システムであって、
前記基地局は、
前記誤り検出符号を生成するために前記所定の識別情報によりマスキングされる第１の情報の長さが前記所定の識別情報の長さに対応しない場合、前記所定の識別情報の長さに対応する第２の情報を生成する生成手段と、
前記第２の情報が生成された場合、該第２の情報に前記所定の識別情報がマスキングされた誤り検出符号を生成する誤り検出符号生成手段とを有し、
前記端末装置は、
前記第１の情報の長さが前記所定の識別情報の長さより短いか否かを示す種別に基づく誤り検出を行う誤り検出手段を有する無線通信システム。
【発明の詳細な説明】
【技術分野】
【０００１】
本発明は、基地局、端末装置及び無線通信システムに関する。
【背景技術】
【０００２】
人間の操作を介さずに端末間の自律的な通信を実現するマシン通信（Machine-to-Machine Communication）の開発が進められている。３ＧＰＰ（Third Generation Partnership Project）におけるマシン通信は、ＭＴＣ（Machine Type Communication：マシンタイプ通信）と呼ばれている。３ＧＰＰ  Ｒｅｌ.１１では、ＭＴＣ端末向けのネットワーク最適化機能が検討されてきた。３ＧＰＰ  Ｒｅｌ．１２では、建物侵入損失に伴うカバレッジの強化が検討されている。
【０００３】
カバレッジの強化は、ＳＣＨ（Shared Channel：共有チャネル）、ＰＢＣＨ（Physical Broadcast Channel：物理報知チャネル）、ＰＲＡＣＨ（Physical Random Access Channel：物理ランダムアクセスチャネル）、ＰＤＣＣＨ（Physical Downlink Control Channel：物理下りリンク制御チャネル）／ＥＰＤＣＣＨ（Enhanced PDCCH）、ＰＤＳＣＨ（Physical Downlink Shared Channel：物理下りリンク共有チャネル）、ＰＵＳＣＨ（Physical Uplink Shared Channel：物理上りリンク共有チャネル）、ＰＵＣＣＨ（Physical Uplink Control Channel：物理上りリンク制御チャネル）等に必要とされる。
【０００４】
ＭＴＣ端末の種類は多様であり、ガスメータや電気メータ、温度・湿度センサ等のように定期的にデータを送信するものもあれば、特定のイベントが発生したときにデータを送信するものもある。ＭＴＣ端末の種類や置かれた位置、環境にかかわらず、どの端末も迅速に無線リンクを確立できるようにするためには、カバレッジの強化が特に重要である。
【０００５】
カバレッジを強化するために、同じ情報を時間領域で繰り返し送信することが考えられる。例えば、ＰＵＣＣＨでは、送信側でデータフレームを送信した後、所定時間が経過してもＡＣＫを受信できない場合に、同じデータフレームを既定回数になるまで繰り返し送信するＡＲＱ（Automatic Repeat Request：自動再送要求）や、誤り訂正と組み合わせたハイブリッドＡＲＱが採用されている（例えば、非特許文献１参照）。また、ＰＲＡＣＨで長い系列のプリアンブルフォーマットを送信することが提案されている（例えば、非特許文献２参照）。ランダムアクセス手順の一部にハイブリッドＡＲＱを適用することも知られている。
【０００６】
また、ＰＤＣＣＨのカバレッジ強化のためには、複数のサブフレームにおいて同じ情報を繰返し送信することが必要である。
【０００７】
そこで、ＰＤＣＣＨを介して送信されるＤＣＩ（Downlink Control Information:下り制御情報)のビット長を短くしたｃｏｍｐａｃｔ  ＤＣＩの技術が開示されている（例えば、特許文献１参照）。ｃｏｍｐａｃｔ  ＤＣＩの概要を説明するためのイメージ図を図１に示す。図１に示すように、ｃｏｍｐａｃｔ  ＤＣＩは、ＤＣＩ及びＤＣＩに付加される誤り検出符号の一つのＣＲＣ（Cyclic Redundancy Check：巡回冗長検査）のビット長のそれぞれが短縮される、ｃｏｍｐａｃｔ  ＤＣＩにｓｈｏｒｔｅｎｅｄ  ＣＲＣが付加された構成となる。このように、ｃｏｍｐａｃｔ  ＤＣＩのビット長は従来（ｎｏｒｍａｌ  ＤＣＩ）に比べ短いため、繰返しＤＣＩを送信し、カバレッジを強化できる。
【０００８】
ここで、基地局が行う通常のＤＣＩの符号化の処理手順について図２を用いて説明する。なお、ＤＣＩの符号化の処理手順は、例えば非特許文献３にも開示されている。
【０００９】
図２に示すように、まず基地局は、予め決められた生成多項式を用いてＤＣＩからＩｎｉｔｉａｌ  ＣＲＣを生成する。そして、生成されたＩｎｉｔｉａｌ  ＣＲＣは、識別子であるＲＮＴＩ（Radio Network Temporary Identifier）を用いてマスキングされたＭａｓｋｅｄ  ＣＲＣを生成する（Ｓ１１）。なお、マスキングは、Ｉｎｉｔｉａｌ  ＣＲＣとＲＮＴＩとがｍｏｄｕｌｏ（ｍｏｄ）２演算や排他的論理和（ＸＯＲ）（スクランブリングともいう。）演算される処理である。また、マスキングされるＲＮＴＩは、端末装置の固有識別子であるＣ-ＲＮＴＩ（Cell-RNTI）（ＵＥ−ＩＤともいう。）、ページングメッセージのためのＰ−ＲＮＴＩ（Paging-RNTI)、システム情報のためのＳＩ−ＲＮＴＩ（System Information-RNTI)及び端末装置のランダムアクセスプリアンブルの送信に対する応答であるランダムアクセス応答を指示するためのＲＡ-ＲＮＴＩ（Random Access-RNTI）等がある。そして、ＤＣＩに生成したＭａｓｋｅｄ  ＣＲＣが付加される（Ｓ１２）。Ｍａｓｋｅｄ  ＣＲＣが付加されたＤＣＩに対するチャネルコーディング（Channel Coding）処理（Ｓ１３）後、データの反復や間引きによるデータサイズの調整のためのレートマッチング（Rate Matching）処理（Ｓ１４）が施されたデータはＰＤＣＣＨとして変調され（Ｓ１５）、端末装置に送信される。
【００１０】
ここで、上述したＭａｓｋｅｄ  ＣＲＣの生成処理（図２のステップＳ１１）において、従来（ｎｏｒｍａｌ  ＤＣＩ）の例では、図３（ａ）に示すように、１６ビットで構成されることが規定されているＲＮＴＩに対応する１６ビットのＩｎｉｔｉａｌ  ＣＲＣが生成される。そして、Ｉｎｉｔｉａｌ  ＣＲＣとＲＮＴＩとの排他的論理和の演算処理及びｍｏｄ２演算処理が行われ、１６ビットのＭａｓｋｅｄ  ＣＲＣが生成される。
【００１１】
一方、ｃｏｍｐａｃｔ  ＤＣＩの例では、図３（ｂ）に示すように、１６ビットのＲＮＴＩに対応（一致）しないような短いビット長のＩｎｉｔｉａｌ  ＣＲＣが生成される場合がある。したがって、Ｉｎｉｔｉａｌ  ＣＲＣのビット長が短縮される場合、ＲＮＴＩとＩｎｉｔｉａｌ  ＣＲＣとのビット数が不一致となり、ＣＲＣ（Ｍａｓｋｅｄ  ＣＲＣ）を生成するための演算処理を行うことができないといった問題がある。
【先行技術文献】
【特許文献】
【００１２】
【特許文献１】国際公開第２０１３／０７４７２２号
【非特許文献】
【００１３】
【非特許文献１】3GPP TS36.213, 10.1.4 HARQ-ACK Repetition
【非特許文献２】3GPP TS36.211, 5.7 Physical random access channel
【非特許文献３】3GPP TS36.212, 5.3.3 Downlink control information
【発明の概要】
【発明が解決しようとする課題】
【００１４】
上記先行技術文献において、ｃｏｍｐａｃｔ  ＤＣＩ（ｓｈｏｒｔｅｎｅｄ  ＣＲＣ）の符号化処理におけるＭａｓｋｅｄ  ＣＲＣの生成に関する記述は無い。したがって、上記問題を解決できず、ｃｏｍｐａｃｔ  ＤＣＩを用いたカバレッジ強化を実現できない。
【００１５】
そこで、本発明は、上記の点に鑑みてなされたものであって、基地局が制御情報に付加される誤り検出符号の生成に用いられる情報の種別によらず、所定の識別情報がマスキングされた誤り検出符号の生成を可能とし、制御情報を受信する端末装置の物理下り制御チャネルのカバレッジを強化することを目的とする。
【課題を解決するための手段】
【００１６】
上記の課題を解決するために、本発明の一実施形態によれば、無線通信システムにおいて、所定の識別情報がマスキングされた誤り検出符号が付加された制御情報を端末装置に送信する基地局が、前記誤り検出符号を生成するために前記所定の識別情報によりマスキングされる第１の情報の長さが前記所定の識別情報の長さに対応しない場合、前記所定の識別情報の長さに対応する第２の情報を生成する生成手段と、前記第２の情報が生成された場合、該第２の情報に前記所定の識別情報がマスキングされた誤り検出符号を生成する誤り検出符号生成手段とを有する。
【００１７】
また、無線通信システムにおいて、基地局と通信する端末装置が、前記基地局からの誤り検出符号が付加された制御情報を受信する受信手段と、前記制御情報を受信する前に、前記基地局が前記誤り検出符号を生成するために前記所定の識別情報によりマスキングされる第１の情報の長さが前記所定の識別情報の長さより短いか否かを示す種別が前記基地局から通知された場合、受信した前記制御情報に付加された前記誤り検出符号を用いて、前記種別に基づく誤り検出を行う誤り検出手段とを有するように構成できる。
【００１８】
また、無線通信システムが、端末装置と、所定の識別情報がマスキングされた誤り検出符号が付加された制御情報を前記端末装置に送信する基地局とを有する無線通信システムであって、前記基地局は、前記誤り検出符号を生成するために前記所定の識別情報によりマスキングされる第１の情報の長さが前記所定の識別情報の長さに対応しない場合、前記所定の識別情報の長さに対応する第２の情報を生成する生成手段と、前記第２の情報が生成された場合、該第２の情報に前記所定の識別情報がマスキングされた誤り検出符号を生成する誤り検出符号生成手段とを有し、前記端末装置は、前記第１の情報の長さが前記所定の識別情報の長さより短いか否かを示す種別に基づく誤り検出を行う誤り検出手段を有するように構成できる。
【発明の効果】
【００１９】
本発明の実施形態によれば、基地局が制御情報に付加される誤り検出符号の生成に用いられる情報の種別によらず、所定の識別情報がマスキングされた誤り検出符号の生成を可能とし、制御情報を受信する端末装置の物理下り制御チャネルのカバレッジを強化できる。
【図面の簡単な説明】
【００２０】
【図１】ｃｏｍｐａｃｔ  ＤＣＩの概要を説明するためのイメージ図である。
【図２】通常のＤＣＩの符号化の処理手順を示すフローチャート図である。
【図３】従来（ｎｏｒｍａｌ  ＤＣＩ）及びｃｏｍｐａｃｔ  ＤＣＩのＣＲＣの演算方法を説明するための図である。
【図４】本発明の実施形態における無線通信システムの概略構成図である。
【図５】本発明の実施形態におけるｃｏｍｐａｃｔ  ＤＣＩの符号化の処理手順を示すフローチャート図である。
【図６】第１の実施形態におけるＣＲＣの生成方法の一例を示す図である。
【図７】第２の実施形態におけるＣＲＣの生成方法の一例を示す図である。
【図８】第３の実施形態におけるＣＲＣの生成方法の一例を示す図である。
【図９】第４の実施形態におけるＣＲＣの生成方法の一例を示す図である。
【図１０】第５の実施形態における無線通信システムの機能構成例を示す機能ブロック図である。
【図１１】第６の実施形態における無線通信システムの機能構成例を示す機能ブロック図である。
【図１２】第５、第６の実施形態におけるＭＴＣ端末の処理手順の一例を示すフローチャート図である。
【図１３】第７の実施形態における無線通信システムの機能構成例を示す機能ブロック図である。
【図１４】第７の実施形態におけるＭＴＣ端末の処理手順の一例を示すフローチャート図である。
【発明を実施するための形態】
【００２１】
以下、図面を参照して本発明の実施形態（以下、実施形態という。）を説明する。なお、以下で説明する実施形態は一例に過ぎず、本発明が適用される実施形態は、以下の実施形態に限られるわけではない。
【００２２】
本発明の実施形態において端末装置が接続する移動通信網はＬＴＥに準拠したネットワークであるが、本発明を適用できるネットワークはこれに限定されるわけではない。なお、本発明の実施形態での「ＬＴＥ」は、３ＧＰＰ  Ｒｅｌ．８〜Ｒｅｌ．１０に対応する通信方式のみならず、３ＧＰＰ  Ｒｅｌ．１１、Ｒｅｌ．１２に対応する通信方式も含む意味で使用する。
【００２３】
また、本発明の実施形態において、ＰＤＣＣＨとＥＰＤＣＣＨとを含めてＰＤＣＣＨと記述する。
[システム構成]
図４は、本発明の実施形態における無線通信システム１の概略構成図である。
【００２４】
無線通信システム１は、基地局（ｅＮＢ）１０と、端末装置２０−１及び２０−２を含む。端末装置２０−１及び２０−２は、ＭＴＣ端末（MTC-UE）２０である。ＭＴＣ端末２０−１、２０−２から収集された情報は、ｅＮＢ１０からネットワーク上の図示しないサーバ等に伝送される。また、サーバからの制御情報は、基地局１０からＭＴＣ端末２０−１、２０−２に送信される。
【００２５】
図４におけるＭＴＣ端末２０は、ＭＴＣ端末２０−１と２０−２とのみであるが、実際は非常に多数のＭＴＣ端末２０が配置されている。ｅＮＢ１０は光ファイバなどの伝送網あるいは通信可能な送電線に接続されていてもよい。
【００２６】
なお、本発明の実施形態における端末装置は、ＭＴＣ端末に限らず、例えば携帯電話機やスマートフォン、タブレット等の移動通信端末（移動局）であってもよい。
【００２７】
基地局１０は、通常のＤＣＩ（ｎｏｒｍａｌ  ＤＣＩ）及びｎｏｒｍａｌ  ＤＣＩのビット長を短縮させたｃｏｍｐａｃｔ  ＤＣＩの符号化処理（エンコーディング）を行い、符号化処理を行ったＤＣＩをＰＤＣＣＨによりＭＴＣ端末２０に送信する。なお、本発明の実施形態において、ｎｏｒｍａｌ  ＤＣＩ及びｃｏｍｐａｃｔ  ＤＣＩのそれぞれを区別しない場合、単にＤＣＩという。また、予め定められた生成多項式を用いてｃｏｍｐａｃｔ  ＤＣＩに基づき生成されるＩｎｉｔｉａｌ  ＣＲＣは、通常のＩｎｉｔｉａｌ  ＣＲＣのビット長（１６ビット）よりも短縮され、短縮されたＩｎｉｔｉａｌ  ＣＲＣをｓｈｏｒｔｅｎｅｄ  ＣＲＣともいう。
【００２８】
ＭＴＣ端末２０は、基地局１０からＰＤＣＣＨにより送信されたＤＣＩを受信し、受信したＤＣＩの復号化処理（デコーディング）を行う。
[ＤＣＩの符号化処理]
基地局１０が行うｎｏｒｍａｌ  ＤＣＩの符号化処理の手順（図２参照）において、１６ビットのＲＮＴＩ（所定の識別情報）と１６ビットのＩｎｉｔｉａｌ  ＣＲＣ（第１の情報）とがマスキング処理（排他的論理和の演算）され、Ｍａｓｋｅｄ  ＣＲＣが生成される（図２のステップＳ１１）。
【００２９】
一方、本発明の実施形態におけるｃｏｍｐａｃｔ  ＤＣＩの符号化処理では、図５に示されるように、１６ビットのＲＮＴＩ（所定の識別情報）とＲＮＴＩに対応する所定の情報（第２の情報）とを用いてＭａｓｋｅｄ  ＣＲＣが生成される（Ｓ１１ａ）。なお、以降の処理（図５のステップＳ１２〜Ｓ１５）は、図２に示したステップＳ１２〜Ｓ１５の処理と同じである。
【００３０】
以下、ｃｏｍｐａｃｔ  ＤＣＩの符号化処理において、Ｉｎｉｔｉａｌ  ＣＲＣのビット長がＲＮＴＩのビット長に対応しない場合（Ｉｎｔｉａｌ  ＣＲＣのビット長がＲＮＴＩのビット長未満の場合）のＭａｓｋｅｄ  ＣＲＣの生成方法を、第１〜第４の実施形態として説明する。また、以下の説明において、Ｍａｓｋｅｄ  ＣＲＣを、単にＣＲＣともいう。
〔第１の実施形態〕
図６は、本発明の第１の実施形態におけるＣＲＣ（Ｍａｓｋｅｄ  ＣＲＣ）の生成方法の一例を示す図である。第１の実施形態では、ｃｏｍｐａｃｔ  ＤＣＩに基づき生成されるＩｎｉｔｉａｌ  ＣＲＣのビット長がＲＮＴＩのビット長未満である場合、すなわちｓｈｏｒｔｅｎｅｄ  ＣＲＣの場合、Ｉｎｉｔｉａｌ  ＣＲＣがＲＮＴＩのビット長になるまでＤＣＩとＩｎｉｔｉａｌ  ＣＲＣとを繰り返す。すなわち、第１の実施形態は、ＲＮＴＩに対応する所定の情報を、繰り返されたＩｎｉｔｉａｌ  ＣＲＣにより生成する方法である。
【００３１】
図６に示すように、Ｉｎｉｔｉａｌ  ＣＲＣが例えば８ビットの場合、ＲＮＴＩの１６ビットに対応するように、Ｉｎｉｔｉａｌ  ＣＲＣを２（＝１６／８）回繰り返す。また、Ｉｎｉｔｉａｌ  ＣＲＣの繰返しに対応させ、ＤＣＩも２回繰り返す。このように、ＤＣＩを繰り返すことで、ＰＤＣＣＨのカバレッジを強化できる。そして、Ｉｎｉｔｉａｌ  ＣＲＣを２回繰り返した所定の情報にＲＮＴＩを用いてマスキングしたＭａｓｋｅｄ  ＣＲＣ（８ビット×２）が生成され、ＤＣＩに付加される。以降、図５のステップＳ１３のチャネルコーディング以降の処理が実行される。すなわち、ＲＮＴＩに対応する所定の情報の生成処理は、チャネルコーディングが行われる前に実行される。
【００３２】
なお、Ｉｎｉｔｉａｌ  ＣＲＣが例えば６ビットの場合、ＲＮＴＩの１６ビットに対応するように、Ｉｎｉｔｉａｌ  ＣＲＣを２（≒１６／６）回繰り返し、残り（除算した余り）の４ビットを例えばＩｎｉｔｉａｌ  ＣＲＣの先頭４ビット目までの値を設定する。なお、余りのビット長には、上記方法に限らず、例えば「０」の値を設定（ｚｅｒｏ−ｐａｄｄｉｎｇ）してＲＮＴＩのビット長に合わせるようにしてもよい。
【００３３】
したがって、ＲＮＴＩに対応させる所定の情報を生成するため、Ｉｎｉｔｉａｌ  ＣＲＣがｎビット、ＲＮＴＩが１６ビットである場合、Ｉｎｉｔｉａｌ  ＣＲＣを１６／ｎ回繰返し、剰余がある場合、Ｉｎｉｔｉａｌ  ＣＲＣの先頭から１６（ｍｏｄ  ｎ）ビット目までの値を設定する。
【００３４】
なお、ＤＣＩとＩｎｉｔｉａｌ  ＣＲＣとの繰返し回数は、それぞれ独立に決定することができる。また、ＤＣＩとＩｎｉｔｉａｌ  ＣＲＣとの繰返し回数は、１回（繰り返さない）とすることもできる。
〔第２の実施形態〕
図７は、本発明の第２の実施形態におけるＣＲＣ（Ｍａｓｋｅｄ  ＣＲＣ）の生成方法の一例を示す図である。第２の実施形態では、ＤＣＩのビット長ＬがＲＮＴＩの１６ビット以下である場合、Ｉｎｉｔｉａｌ  ＣＲＣを生成せず、Ｉｎｉｔｉａｌ  ＣＲＣが設定される領域に、繰り返されたＤＣＩを設定する。すなわち、第２の実施形態では、ＤＣＩのビット長ＬがＲＮＴＩの１６ビット以下である場合、ＲＮＴＩに対応させる所定の情報を繰り返されたＤＣＩにより生成する方法である。
【００３５】
図７に示すように、ＤＣＩがＬビット（Ｌ≦１６ビット）の場合、ＲＮＴＩの１６ビットに対応するように、ＤＣＩが１６／Ｌ回繰り返された情報が生成され、Ｉｎｉｔｉａｌ  ＣＲＣの領域に設定される。そして、ＤＣＩが１６／Ｌ回繰り返された所定の情報にＲＮＴＩを用いてマスキングしたＭａｓｋｅｄ  ＣＲＣが生成され、ＤＣＩに付加される。また、図７に示すように、ＤＣＩを複数回（例えば２回）繰り返すことで、ＰＤＣＣＨのカバレッジを強化できる。以降、図５のステップＳ１３のチャネルコーディング以降の処理が実行される。
【００３６】
なお、１６／Ｌ回繰り返したＤＣＩが、１６ビットより長くなる場合、１６ビットより長いビット長を切り捨て、１６ビット未満となる場合、１６ビットに満たないビットに例えば「０」の値を設定する。
【００３７】
したがって、ＲＮＴＩに対応させる所定の情報を生成するため、ＤＣＩがＬビット、ＲＮＴＩが１６ビットである場合、１６／ｎ回繰り返されたＤＣＩをＩｎｉｔｉａｌ  ＣＲＣの領域に設定する。上記の除算の結果、剰余がある場合、１６ビットに合うように切り捨てたり、不足している値を「０」の値で埋めたりする。
【００３８】
なお、ＤＣＩとＩｎｉｔｉａｌ  ＣＲＣの領域に設定されるＤＣＩとの繰返し回数は、それぞれ独立に決定することができる。また、ＤＣＩとＩｎｉｔｉａｌ  ＣＲＣの領域に設定されるＤＣＩとの繰返し回数は、１回（繰り返さない）であってもよい。
〔第３の実施形態〕
図８は、本発明の第３の実施形態におけるＣＲＣ（Ｍａｓｋｅｄ  ＣＲＣ）の生成方法の一例を示す図である。第３の実施形態では、ＲＮＴＩに対応する所定の情報を、ＤＣＩに基づき生成されるＩｎｉｔｉａｌ  ＣＲＣとＤＣＩの一部とにより生成する方法である。
【００３９】
図８に示すように、Ｉｎｉｔｉａｌ  ＣＲＣが例えば８ビットの場合、１６ビットのＲＮＴＩとのマスキングの対象として、Ｉｎｉｔｉａｌ  ＣＲＣ（８ビット）とＤＣＩの一部（８ビット）とを組み合わせた情報（１６ビット）が使用される。そして、Ｉｎｉｔｉａｌ  ＣＲＣとＤＣＩの一部と組み合わせた情報にＲＮＴＩを用いてマスキングしたＭａｓｋｅｄ  ＤＣＩ（８ビット）とＭａｓｋｅｄ  ＣＲＣ（８ビット）とが生成され、ＤＣＩに付加される。すなわち、第３の実施形態では、ＤＣＩの一部がマスキングされる（Ｍａｓｋｅｄ  ＤＣＩに置換される）。以降、図５のステップＳ１３のチャネルコーディング以降の処理が実行される。
〔第４の実施形態〕
図９は、本発明の第４の実施形態におけるＣＲＣ（Ｍａｓｋｅｄ  ＣＲＣ）の生成方法の一例を示す図である。第４の実施形態では、ＲＮＴＩに対応する所定の情報を、予め定められた生成多項式を用いて（繰り返された）ＤＣＩに基づき１６ビットのＩｎｉｔｉａｌ  ＣＲＣを生成する方法である。
【００４０】
図９に示すように、１６ビットのＲＮＴＩとのマスキングの対象として、例えば２回繰り返されたＤＣＩに基づき生成多項式を用いて１６ビットのＩｎｉｔｉａｌ  ＣＲＣが生成される。そして、１６ビットのＩｎｉｔｉａｌ  ＣＲＣにＲＮＴＩを用いてマスキングしたＭａｓｋｅｄ  ＣＲＣ（１６ビット）が生成され、ＤＣＩに付加される。以降、図５のステップＳ１３のチャネルコーディング以降の処理が実行される。
【００４１】
上述した第１〜第４の実施形態により、ｓｈｏｒｔｅｎｅｄ  ＣＲＣの場合であっても、ＤＣＩに付加するＣＲＣ（Ｍａｓｋｅｄ  ＣＲＣ）を生成することができる。また、第１〜第４の実施形態におけるＣＲＣの生成方法は、ＰＤＣＣＨ／ＥＰＤＣＣＨと、共通サーチスペース及びＵＥ特定サーチスペースにおけるＰＤＣＣＨ／ＥＰＤＣＣＨとに適用できる。
【００４２】
なお、第１〜第４の実施形態のうち、ＰＤＣＣＨ／ＥＰＤＣＣＨのカバレッジ強化の観点から、ＤＣＩが繰り返される第１の実施形態及び第２の実施形態のＣＲＣ生成方法が望ましい。
【００４３】
本発明の実施形態における無線通信システム１における基地局１０及びＭＴＣ端末２０は、ｎｏｒｍａｌ  ＤＣＩ（ｎｏｒｍａｌ  ＣＲＣ）とｃｏｍｐａｃｔ  ＤＣＩ（ｓｈｏｒｔｅｎｅｄ  ＣＲＣ）とを処理する。そこで、基地局１０がｎｏｒｍａｌ  ＣＲＣとｓｈｏｒｔｅｎｅｄ  ＣＲＣとを切り替える方法は、Ｓｅｍｉ−ｓｔａｔｉｃ（準静的）に切り替える方法とＤｙｎａｍｉｃ（動的）に切り替える方法とがある。
【００４４】
以下、ｎｏｒｍａｌ  ＣＲＣとｓｈｏｒｔｅｎｅｄ  ＣＲＣとの切替え方法に応じて、準静的に切替えを行う動作を第５の実施形態とし、動的に切替えを行う動作の２パタンを第６の実施形態、第７の実施形態として説明する。
〔第５の実施形態〕
準静的にｎｏｒｍａｌ  ＣＲＣとｓｈｏｒｔｅｎｅｄ  ＣＲＣとを切り替える第５の実施形態では、基地局１０がＭＴＣ端末２０に対してハイヤレイヤシグナリング（例えば、ＲＲＣシグナリング）により、いずれのＣＲＣの種別（ＣＲＣ  ｃｏｎｆｉｇｕｒｅｄ  ｔｙｐｅ）を使用するか通知する。基地局１０は、ＣＲＣ  ｃｏｎｆｉｇｕｒｅｄ  ｔｙｐｅ（「ｎｏｒｍａｌ」又は「ｓｈｏｒｔｅｎｅｄ」）に応じたＤＣＩの符号化処理を実行し、ＰＤＣＣＨによりＤＣＩをＭＴＣ端末２０に送信する。ＭＴＣ端末２０は、ＲＲＣシグナリングにより通知されたＣＲＣ  ｃｏｎｆｉｇｕｒｅｄ  ｔｙｐｅに基づくＣＲＣによるＣＲＣチェック（誤り検出）を行い、ＣＲＣチェックの結果に基づき自端末宛のＤＣＩの受信動作を実行する。
【００４５】
図１０は、第５の実施形態における無線通信システム１の機能構成例を示す機能ブロック図である。
【００４６】
＜基地局＞
基地局１０は、ＤＣＩ符号化処理部１１、ＣＲＣ  ｃｏｎｆｉｇｕｒｅｄ  ｔｙｐｅ通知部（ＲＲＣ）１２及びＤＣＩ送信部１３を有する。ＤＣＩ符号化処理部１１には、ＣＲＣ  ｃｏｎｆｉｇｕｒｅｄ  ｔｙｐｅ決定部１１１及びＤＣＩ／ＣＲＣ繰返し回数決定部１１２が含まれる。
【００４７】
ＤＣＩ符号化処理部１１は、ＤＣＩへのＣＲＣ（Ｍａｓｋｅｄ  ＣＲＣ）の付加、チャネルコーディング、レートマッチング、ＰＤＣＣＨへの変調処理等を実行する。
【００４８】
ＣＲＣ  ｃｏｎｆｉｇｕｒｅｄ  ｔｙｐｅ決定部１１１は、ＣＲＣ  ｃｏｎｆｉｇｕｒｅｄ  ｔｙｐｅ通知部（ＲＲＣ）１２がＭＴＣ端末２０に通知したＣＲＣ  ｃｏｎｆｉｇｕｒｅｄ  ｔｙｐｅに基づき、ＣＲＣの生成方法を決定する。
【００４９】
ＤＣＩ／ＣＲＣ繰返し回数決定部１１２は、ＣＲＣ  ｃｏｎｆｉｇｕｒｅｄ  ｔｙｐｅが「ｓｈｏｒｔｅｎｅｄ」の場合、上述した第１〜第４の実施形態におけるＲＮＴＩに対応する所定の情報を生成するためのＤＣＩ又はＣＲＣの繰返し回数を決定し、所定の情報を生成する。ＣＲＣ  ｃｏｎｆｉｇｕｒｅｄ  ｔｙｐｅが「ｎｏｒｍａｌ」の場合、ＤＣＩ／ＣＲＣ繰返し回数決定部１１２による処理は実行されない。
【００５０】
なお、ＣＲＣ  ｃｏｎｆｉｇｕｒｅｄ  ｔｙｐｅが「ｎｏｒｍａｌ」の場合、ＤＣＩ符号化処理部１１は、予め定められた生成多項式を用いてＤＣＩからＩｎｉｔｉａｌ  ＣＲＣを生成する。
【００５１】
ＣＲＣ  ｃｏｎｆｉｇｕｒｅｄ  ｔｙｐｅ通知部（ＲＲＣ）１２は、ハイヤレイヤシグナリングであるＲＲＣシグナリングにより、ＣＲＣ  ｃｏｎｆｉｇｕｒｅｄ  ｔｙｐｅ（「ｎｏｒｍａｌ」又は「ｓｈｏｒｔｅｎｅｄ」）を、ＭＴＣ端末２０に通知する。また、ＣＲＣ  ｃｏｎｆｉｇｕｒｅｄ  ｔｙｐｅ通知部（ＲＲＣ）１２は、ＲＲＣシグナリングにより通知したＣＲＣ  ｃｏｎｆｉｇｕｒｅｄ  ｔｙｐｅを、ＣＲＣ  ｃｏｎｆｉｇｕｒｅｄ  ｔｙｐｅ決定部１１１に通知する。
【００５２】
ＤＣＩ送信部１３は、ＰＤＣＣＨによりＤＣＩをＭＴＣ端末２０に送信する。
【００５３】
＜ＭＴＣ端末＞
ＭＴＣ端末２０は、ＤＣＩ復号化処理部２１、ＣＲＣ  ｃｏｎｆｉｇｕｒｅｄ  ｔｙｐｅ通知受付部（ＲＲＣ）２２及びＤＣＩ受信部２３を有する。ＤＣＩ復号化処理部２１には、ＣＲＣ  ｃｏｎｆｉｇｕｒｅｄ  ｔｙｐｅ判定部２１１、ＤＣＩ／ＣＲＣ繰返し回数判定部２１２、ＣＲＣチェック部２１３及び自端末宛ＤＣＩ受信動作実行部２１４が含まれる。
【００５４】
ＤＣＩ復号化処理部２１は、受信したＤＣＩ（ＰＤＣＣＨ）の復号化処理を行う。具体的には、ＤＣＩ復号化処理部２１は、サブフレーム毎のＰＤＣＣＨ候補（ｃａｎｄｉｄａｔｅ）から自端末宛のＰＤＣＣＨを検出するため、ＰＤＣＣＨ候補のそれぞれに対してＣＲＣチェック処理を含むブラインド復号（ブラインドデコーディング）を試行する。
【００５５】
ＣＲＣ  ｃｏｎｆｉｇｕｒｅｄ  ｔｙｐｅ判定部２１１は、ＲＲＣシグナリングにより、基地局１０から通知されたＣＲＣ  ｃｏｎｆｉｇｕｒｅｄ  ｔｙｐｅに基づき、いずれの種別のＣＲＣチェックを行うかについて判定する。
【００５６】
ＤＣＩ／ＣＲＣ繰返し回数判定部２１２は、ＲＮＴＩに対応する所定の情報を構成するＤＣＩ又はＩｎｉｔｉａｌ  ＣＲＣの繰返し回数を判定する。
【００５７】
ＣＲＣチェック部２１３は、受信したＤＣＩに付加されているＣＲＣを用いてＣＲＣチェック処理を行う。具体的には、例えばＣＲＣチェック部２１３は、自端末のＲＮＴＩによりデマスキングされたＰＤＣＣＨ（ＤＣＩ）のＣＲＣチェックがＯＫであった（ＣＲＣが一致した）場合、自端末宛のＤＣＩを含むＰＤＣＣＨであると判断する。そして、ＣＲＣチェック部２１３は、自端末宛ＤＣＩ受信動作実行部２１４に対して、自端末宛のＤＣＩの受信動作の実行を要求する。一方、ＣＲＣチェック部２１３は、ＣＲＣチェックがＮＧであった（ＣＲＣが一致しなかった）場合、自端末宛のＤＣＩの受信動作を実行しない。なお、ＣＲＣチェックがＮＧであった場合とは、自端末宛のＰＤＣＣＨが誤って復号された場合及び他のＭＴＣ端末２０宛のＰＤＣＣＨの復号を試みた場合等である。
【００５８】
自端末宛ＤＣＩ受信動作実行部２１４は、ＣＲＣチェックがＯＫであった、すなわち自端末宛のＤＣＩに対する受信動作を実行する。
【００５９】
ＣＲＣ  ｃｏｎｆｉｇｕｒｅｄ  ｔｙｐｅ通知受付部（ＲＲＣ）２２は、ハイヤレイヤシグナリングであるＲＲＣシグナリングにより通知されたＣＲＣ  ｃｏｎｆｉｇｕｒｅｄ  ｔｙｐｅ（「ｎｏｒｍａｌ」又は「ｓｈｏｒｔｅｎｅｄ」）を受け付ける。
【００６０】
ＤＣＩ受信部２３は、基地局１０から送信されたＰＤＣＣＨによるＤＣＩを受信する。
【００６１】
上記機能構成により基地局１０は、準静的に生成するＣＲＣの種別を切り替え、ＭＴＣ端末２０は、受信したＤＣＩに付加されたＣＲＣの種別に応じたＣＲＣチェックを行い、ＣＲＣチェックの結果に基づき自端末宛のＤＣＩの受信動作を行うことができる。
〔第６の実施形態〕
第６の実施形態では、基地局１０が動的、すなわち所定の時間（サブフレーム）毎に切り替えるＣＲＣの種別（ＣＲＣ  ｃｏｎｆｉｇｕｒｅｄ  ｔｙｐｅ）を物理レイヤ（例えば、ＰＤＣＣＨ）によりＭＴＣ端末２０に通知する。そして、基地局１０は、動的に切り替えたＣＲＣ  ｃｏｎｆｉｇｕｒｅｄ  ｔｙｐｅ（「ｎｏｒｍａｌ」又は「ｓｈｏｒｔｅｎｅｄ」）に応じたＤＣＩの符号化処理を実行し、ＭＴＣ端末２０に、ＰＤＣＣＨによりＤＣＩを送信する。ＭＴＣ端末２０は、ＰＤＣＣＨにより通知されたＣＲＣ  ｃｏｎｆｉｇｕｒｅｄ  ｔｙｐｅに基づくＣＲＣチェックを行い、ＣＲＣチェックの結果に基づき自端末宛のＤＣＩの受信動作を実行する。
【００６２】
図１１は、第６の実施形態における無線通信システム１の機能構成例を示す機能ブロック図である。
【００６３】
＜基地局＞
基地局１０は、ＤＣＩ符号化処理部１１、ＣＲＣ  ｃｏｎｆｉｇｕｒｅｄ  ｔｙｐｅ通知部（ＰＤＣＣＨ）１２ａ及びＤＣＩ送信部１３を有する。ＤＣＩ符号化処理部１１には、ＣＲＣ  ｃｏｎｆｉｇｕｒｅｄ  ｔｙｐｅ決定部１１１ａ及びＤＣＩ／ＣＲＣ繰返し回数決定部１１２が含まれる。上記機能のうち、ＤＣＩ符号化処理部１１、ＤＣＩ／ＣＲＣ繰返し回数決定部１１２及びＤＣＩ送信部１３は、図１０に示した第５の実施形態の基地局１０が有する機能と同じであり、これらの説明は省略する。
【００６４】
ＣＲＣ  ｃｏｎｆｉｇｕｒｅｄ  ｔｙｐｅ決定部１１１ａは、動的（所定の時間毎）に、生成するＣＲＣの種別を切り替える。ＣＲＣ  ｃｏｎｆｉｇｕｒｅｄ  ｔｙｐｅ決定部１１１ａは、ＣＲＣ  ｃｏｎｆｉｇｕｒｅｄ  ｔｙｐｅが「ｓｈｏｒｔｅｎｅｄ」の場合、ＤＣＩ／ＣＲＣ繰返し回数決定部１１２に、上述した第１〜第４の実施形態におけるＲＮＴＩに対応する所定の情報を生成するためのＤＣＩ又はＣＲＣの繰返し回数の決定処理の実行を要求する。一方、ＣＲＣ  ｃｏｎｆｉｇｕｒｅｄ  ｔｙｐｅが「ｎｏｒｍａｌ」の場合、ＤＣＩ／ＣＲＣ繰返し回数決定部１１２による処理は実行されず、ＤＣＩ符号化処理部１１により、ｎｏｒｍａｌ  ＣＲＣを生成するための処理を含む、ｎｏｒｍａｌ  ＤＣＩの符号化処理が実行される。また、ＣＲＣ  ｃｏｎｆｉｇｕｒｅｄ  ｔｙｐｅ決定部１１１ａは、動的に切り替わるＣＲＣの種別を、ＣＲＣ  ｃｏｎｆｉｇｕｒｅｄ  ｔｙｐｅ通知部（ＰＤＣＣＨ）１２ａに通知する。
【００６５】
ＣＲＣ  ｃｏｎｆｉｇｕｒｅｄ  ｔｙｐｅ通知部（ＰＤＣＣＨ）１２ａは、物理レイヤであるＰＤＣＣＨにより、ＣＲＣ  ｃｏｎｆｉｇｕｒｅｄ  ｔｙｐｅ（「ｎｏｒｍａｌ」又は「ｓｈｏｒｔｅｎｅｄ」）を、ＭＴＣ端末２０に通知する。
【００６６】
＜ＭＴＣ端末＞
ＭＴＣ端末２０は、ＤＣＩ復号化処理部２１、ＣＲＣ  ｃｏｎｆｉｇｕｒｅｄ  ｔｙｐｅ通知受付部（ＰＤＣＣＨ）２２ａ及びＤＣＩ受信部２３を有する。ＤＣＩ復号化処理部２１には、ＣＲＣ  ｃｏｎｆｉｇｕｒｅｄ  ｔｙｐｅ判定部２１１、ＤＣＩ／ＣＲＣ繰返し回数判定部２１２、ＣＲＣチェック部２１３及び自端末宛ＤＣＩ受信動作実行部２１４が含まれる。なお、上記のうちＣＲＣ  ｃｏｎｆｉｇｕｒｅｄ  ｔｙｐｅ通知受付部（ＰＤＣＣＨ）２２ａ以外の機能は、図１０に示した第５の実施形態のＭＴＣ端末２０が有する機能と同じであり、これらの説明は省略する。
【００６７】
ＣＲＣ  ｃｏｎｆｉｇｕｒｅｄ  ｔｙｐｅ通知受付部（ＰＤＣＣＨ）２２ａは、物理レイヤであるＰＤＣＣＨにより通知されたＣＲＣ  ｃｏｎｆｉｇｕｒｅｄ  ｔｙｐｅ（「ｎｏｒｍａｌ」又は「ｓｈｏｒｔｅｎｅｄ」）を受け付ける。
【００６８】
ここで、第５の実施形態及び第６の実施形態におけるＭＴＣ端末２０の処理手順を、図１２に示すフローチャート図を用いて説明する。
【００６９】
図１２に示すように、ステップＳ１１０において、ＭＴＣ端末２０は、基地局１０からＲＲＣシグナリング又はＰＤＣＣＨにより送信されたＣＲＣ  ｃｏｎｆｉｇｕｒｅｄ  ｔｙｐｅを受信する。ＣＲＣ  ｃｏｎｆｉｇｕｒｅｄ  ｔｙｐｅを受信したＣＲＣ  ｃｏｎｆｉｇｕｒｅｄ  ｔｙｐｅ通知受付部（ＲＲＣ）２２又はＣＲＣ  ｃｏｎｆｉｇｕｒｅｄ  ｔｙｐｅ通知受付部（ＰＤＣＣＨ）２２ａは、受信したＣＲＣ  ｃｏｎｆｉｇｕｒｅｄ  ｔｙｐｅをＣＲＣ  ｃｏｎｆｉｇｕｒｅｄ  ｔｙｐｅ判定部２１１に通知する。
【００７０】
ステップＳ１２０において、ＤＣＩ受信部２３は、基地局１０からＰＤＣＣＨにより送信されたＤＣＩを受信する。ＤＣＩ受信部２３は、受信したＤＣＩをＤＣＩ復号化処理部２１に通知する。
【００７１】
ステップＳ１３０において、ＣＲＣ  ｃｏｎｆｉｇｕｒｅｄ  ｔｙｐｅ判定部２１１は、受信したＣＲＣ  ｃｏｎｆｉｇｕｒｅｄ  ｔｙｐｅに基づき、ＣＲＣの種別を判定する。ここで、ＣＲＣ  ｃｏｎｆｉｇｕｒｅｄ  ｔｙｐｅが「ｎｏｒｍａｌ」の場合、ステップＳ１４０の処理が実行され、ＣＲＣ  ｃｏｎｆｉｇｕｒｅｄ  ｔｙｐｅが「ｓｈｏｒｔｅｎｅｄ」の場合、ステップＳ１５０の処理が実行される。
【００７２】
ＣＲＣ  ｃｏｎｆｉｇｕｒｅｄ  ｔｙｐｅが「ｎｏｒｍａｌ」である場合、ステップＳ１４０において、ＣＲＣチェック部２１３は、ＣＲＣ  ｃｏｎｆｉｇｕｒｅｄ  ｔｙｐｅ「ｎｏｒｍａｌ」によるＣＲＣチェックを行う。
【００７３】
ＣＲＣ  ｃｏｎｆｉｇｕｒｅｄ  ｔｙｐｅが「ｓｈｏｒｔｅｎｅｄ」である場合、ステップＳ１５０において、ＤＣＩ／ＣＲＣ繰返し回数判定部２１２は、ＲＮＴＩに対応する所定の情報を構成するＤＣＩ又はＣＲＣ（Ｉｎｉｔｉａｌ  ＣＲＣ）の繰返し回数を判定する。
【００７４】
ステップＳ１６０において、ＣＲＣ  ｃｏｎｆｉｇｕｒｅｄ  ｔｙｐｅが「ｓｈｏｒｔｅｎｅｄ」であるため、ＣＲＣチェック部２１３は、ＣＲＣ  ｃｏｎｆｉｇｕｒｅｄ  ｔｙｐｅ「ｓｈｏｒｔｅｎｅｄ」によるＣＲＣチェックを行う。
【００７５】
ステップＳ１７０において、上記ステップＳ１４０又はＳ１６０でのＣＲＣチェックの結果（ＣＲＣが一致したか否か）が判定される。
【００７６】
ＣＲＣチェックの結果、ＣＲＣが一致した（ＣＲＣチェックがＯＫであった）場合（ステップＳ１７０においてＹＥＳ）、ステップＳ１８０において、自端末宛ＤＣＩ受信動作実行部２１４は、自端末宛のＤＣＩに対する受信動作を実行する。
【００７７】
一方、ＣＲＣチェックの結果、ＣＲＣが一致しなかった（ＣＲＣチェックがＮＧであった）場合（ステップＳ１７０においてＮＯ）、自端末宛のＤＣＩに対する受信動作は実行せず、当該ＤＣＩに対する処理は終了する。
【００７８】
上述した処理手順により、ＭＴＣ端末２０は、ＣＲＣがいずれの種別であっても、ＣＲＣの種別に応じたＣＲＣチェックを実行し、ＣＲＣチェックの結果に基づき自端末宛のＤＣＩの受信動作を実行できる。
〔第７の実施形態〕
第７の実施形態では、第６の実施形態の場合と同様に、基地局１０が動的にＣＲＣ  ｃｏｎｆｉｇｕｒｅｄ  ｔｙｐｅ（「ｎｏｒｍａｌ」又は「ｓｈｏｒｔｅｎｅｄ」）を切り替え、ＣＲＣの種別に応じたＣＲＣを生成する。但し、第７の実施形態では、第６の実施形態において基地局１０が行うＰＤＣＣＨによるＣＲＣ  ｃｏｎｆｉｇｕｒｅｄ  ｔｙｐｅの通知の処理が実行されない。そのため、第７の実施形態におけるＭＴＣ端末２０は、全てのＣＲＣの種別に対するＣＲＣチェックを実行し、いずれかのＣＲＣの種別でのＣＲＣチェックがＯＫであった場合、自端末宛のＤＣＩの受信動作を実行する。
【００７９】
図１３は、第７の実施形態における無線通信システム１の機能構成例を示す機能ブロック図である。図１３に示すように、第７の実施形態の基地局１０及びＭＴＣ端末２０が、それぞれ第６の実施形態の基地局１０が有するＣＲＣ  ｃｏｎｆｉｇｕｒｅｄ  ｔｙｐｅ通知部（ＰＤＣＣＨ）１２ａ及びＭＴＣ端末２０が有するＣＲＣ  ｃｏｎｆｉｇｕｒｅｄ  ｔｙｐｅ通知受付部（ＰＤＣＣＨ）２２ａを備えない点を除き、第６の実施形態の機能構成と同じである。そのため、各機能の説明は省略する。
【００８０】
なお、第７の実施形態におけるＭＴＣ端末２０は、予めＣＲＣの種別が基地局１０から通知されないため、ＭＴＣ端末２０は、図１４に示すような処理手順を実行する。
【００８１】
図１４に示すように、ステップＳ２１０において、ＭＴＣ端末２０のＤＣＩ受信部２３は、基地局１０からＰＤＣＣＨにより送信されたＤＣＩを受信する。ＤＣＩ受信部２３は、受信したＤＣＩをＤＣＩ復号化処理部２１に通知する。
【００８２】
ステップＳ２２０において、ＣＲＣ  ｃｏｎｆｉｇｕｒｅｄ  ｔｙｐｅ判定部２１１は、ＣＲＣチェック部２１３に、ＣＲＣ  ｃｏｎｆｉｇｕｒｅｄ  ｔｙｐｅ「ｎｏｒｍａｌ」によるＣＲＣチェックを実行させる。
【００８３】
ステップＳ２３０において、上記ステップＳ２２０のＣＲＣチェックの結果が判定される。
【００８４】
ＣＲＣチェックの結果、ＣＲＣが一致した（ＣＲＣチェックがＯＫであった）場合（ステップＳ２３０においてＹＥＳ）、ステップＳ２４０において、自端末宛ＤＣＩ受信動作実行部２１４は、自端末宛のＤＣＩに対する受信動作を実行する。
【００８５】
一方、ＣＲＣチェックの結果、ＣＲＣが一致しなかった（ＣＲＣチェックがＮＧであった）場合（ステップＳ２３０においてＮＯ）、ステップＳ２５０において、ＣＲＣ  ｃｏｎｆｉｇｕｒｅｄ  ｔｙｐｅ「ｓｈｏｒｔｅｎｅｄ」に対応する処理が実行される。ＤＣＩ／ＣＲＣ繰返し回数判定部２１２は、ＲＮＴＩに対応する所定の情報を構成するＤＣＩ又はＣＲＣ（Ｉｎｉｔｉａｌ  ＣＲＣ）の繰返し回数を判定する。
【００８６】
ステップＳ２６０において、ＣＲＣチェック部２１３は、ＣＲＣ  ｃｏｎｆｉｇｕｒｅｄ  ｔｙｐｅ「ｓｈｏｒｔｅｎｅｄ」によるＣＲＣチェックを行う。
【００８７】
ステップＳ２７０において、上記ステップＳ２６０のＣＲＣチェックの結果が判定される。
【００８８】
ＣＲＣチェックの結果、ＣＲＣが一致した（ＣＲＣチェックがＯＫであった）場合（ステップＳ２７０においてＹＥＳ）、ステップＳ２４０において、自端末宛ＤＣＩ受信動作実行部２１４は、自端末宛のＤＣＩに対する受信動作を実行する。
【００８９】
一方、ＣＲＣチェックの結果、ＣＲＣが一致しなかった（ＣＲＣチェックがＮＧであった）場合（ステップＳ２７０においてＮＯ）、自端末宛のＤＣＩに対する受信動作は実行せず、当該ＤＣＩに対する処理は終了する。
【００９０】
上述した処理手順により、ＭＴＣ端末２０は、ＣＲＣがいずれの種別であっても、ＣＲＣの種別のそれぞれのＣＲＣチェックを行い、ＣＲＣチェックの結果に基づき自端末宛のＤＣＩの受信動作を実行できる。
【００９１】
以上、本発明の実施形態の無線通信システム１によれば、基地局１０が、Ｉｎｉｔｉａｌ  ＣＲＣが所定の識別情報（ＲＮＴＩ）に対応しない（ビット長が合わない）場合であっても、ＲＮＴＩに対応する所定の情報を生成し、ＲＮＴＩによるマスキングが行われたＣＲＣを生成できる。そして、ＭＴＣ端末２０は、基地局１０から送信されたＣＲＣが付加されたＤＣＩを受信した場合、ＣＲＣの種別がいずれであってもＣＲＣチェックを行い、ＣＲＣチェックの結果に基づく自端末宛のＤＣＩの受信動作を実行できる。また、基地局１０は、準静的又は動的にＣＲＣの生成処理を行うことができる。
【００９２】
このように、ｃｏｍｐａｃｔ  ＤＣＩにおけるＲＮＴＩによりマスキングされたＣＲＣの付加を可能とする。そして、ｃｏｍｐａｃｔ  ＤＣＩにより、ＤＣＩ（制御情報）を繰り返すことで、下り物理制御チャネル（ＰＤＣＣＨ／ＥＰＤＣＣＨ）のカバレッジを強化できる。
【００９３】
なお、上述した例では、端末装置の一例としてＭＴＣ端末に基づき説明したが、ＭＴＣ端末に限らず移動局であっても本発明を適用できる。
【００９４】
なお、上述した例では、誤り検出符号の一例としてＣＲＣを挙げて説明したが、誤り検出符号はＣＲＣに限らず本発明を適用できる。
【００９５】
なお、上述した例では、所定の識別情報の一例であるＲＮＴＩのビット長は、規定に基づく１６ビットとしたが、ＲＮＴＩのビット長は１６ビットに限らず、任意のビット長であっても本発明を適用できる。
【符号の説明】
【００９６】
１                無線通信システム
１０              基地局
１１              ＤＣＩ符号化処理部
１１１、１１１ａ  ＣＲＣ  ｃｏｎｆｉｇｕｒｅｄ  ｔｙｐｅ決定部
１１２            ＤＣＩ／ＣＲＣ繰返し回数決定部
１２              ＣＲＣ  ｃｏｎｆｉｇｕｒｅｄ  ｔｙｐｅ通知部（ＲＲＣ）
１２ａ            ＣＲＣ  ｃｏｎｆｉｇｕｒｅｄ  ｔｙｐｅ通知部（ＰＤＣＣＨ）
１３              ＤＣＩ送信部
２０              ＭＴＣ端末（端末装置）
２１              ＤＣＩ符号化処理部
２１１            ＣＲＣ  ｃｏｎｆｉｇｕｒｅｄ  ｔｙｐｅ判定部
２１２            ＤＣＩ／ＣＲＣ繰返し回数判定部
２１３            ＣＲＣチェック部
２１４            自端末宛ＤＣＩ受信動作実行部
２２              ＣＲＣ  ｃｏｎｆｉｇｕｒｅｄ  ｔｙｐｅ通知受付部（ＲＲＣ）
２２ａ            ＣＲＣ  ｃｏｎｆｉｇｕｒｅｄ  ｔｙｐｅ通知受付部（ＰＤＣＣＨ）
２３      ＤＣＩ受信部
【図１】
2015023509.tif 000003
【図２】
2015023509.tif 000004
【図３】
2015023509.tif 000005
【図４】
2015023509.tif 000006
【図５】
2015023509.tif 000007
【図６】
2015023509.tif 000008
【図７】
2015023509.tif 000009
【図８】
2015023509.tif 000010
【図９】
2015023509.tif 000011
【図１０】
2015023509.tif 000012
【図１１】
2015023509.tif 000013
【図１２】
2015023509.tif 000014
【図１３】
2015023509.tif 000015
【図１４】
2015023509.tif 000016